(57)【特許請求の範囲】
【請求項１】
画像を切り替えながら連続的に再生可能な画像再生装置において、
周囲の音量を検出する音量検出手段と、
前記音量検出手段により検出された音量のレベルに応じて、画像の表示時間を変更する変更手段とを有し、
前記変更手段は、音量検出手段により検出された音量のレベルが閾値未満の場合には、画像の表示時間を短縮することを特徴とする画像再生装置。
【請求項２】
画像を切り替えながら連続的に再生可能な画像再生装置において、
周囲の音量を検出する音量検出手段と、
前記音量検出手段により検出された音量レベルの変化量を検出する音量変化量検出手段と、
前記音量変化量検出手段により検出された変化量のレベルに応じて、画像の表示時間を変更する変更手段とを有し、
前記変更手段は、音量変化量検出手段により検出された音量レベルの変化量が閾値以上の場合には、画像の表示時間を延長することを特徴とする画像再生装置。
【請求項３】
画像を切り替えながら連続的に再生可能な画像再生装置において、
周囲の音量を検出する音量検出手段と、
前記音量検出手段により検出された音量レベルの変化量を検出する音量変化量検出手段と、
前記音量変化量検出手段により検出された変化量のレベルに応じて、画像の表示時間を変更する変更手段とを有し、
前記変更手段は、音量変化量検出手段により検出された音量レベルの変化量が閾値未満の場合には、画像の表示時間を短縮することを特徴とする画像再生装置。
【請求項４】
画像を切り替えながら連続的に再生可能な画像再生装置の制御方法において、周囲の音量を検出する音量検出工程と、
前記音量検出工程により検出された音量のレベルに応じて、画像の表示時間を変更する変更工程とを有し、
前記変更工程は、音量検出工程により検出された音量のレベルが閾値未満の場合には、画像の表示時間を短縮することを特徴とする画像再生装置置の制御方法。
【請求項５】
画像を切り替えながら連続的に再生可能な画像再生装置の制御方法において、周囲の音量を検出する音量検出工程と、
前記音量検出工程により検出された音量レベルの変化量を検出する音量変化量検出工程と、
前記音量変化量検出工程により検出された変化量のレベルに応じて、画像の表示時間を変更する変更工程とを有し、
前記変更工程は、音量変化量検出工程により検出された音量レベルの変化量が閾値以上の場合には、画像の表示時間を延長することを特徴とする画像再生装置の制御方法。
【請求項６】
画像を切り替えながら連続的に再生可能な画像再生装置の制御方法において、周囲の音量を検出する音量検出工程と、
前記音量検出工程により検出された音量レベルの変化量を検出する音量変化量検出工程と、
前記音量変化量検出工程により検出された変化量のレベルに応じて、画像の表示時間を変更する変更工程とを有し、
前記変更工程は、音量変化量検出工程により検出された音量レベルの変化量が閾値未満の場合には、画像の表示時間を短縮することを特徴とする画像再生装置の制御方法。
【請求項７】
コンピュータに、
画像を切り替えながら連続的に再生可能な画像再生装置の周囲の音量を検出する音量検出手順と、前記音量検出手順により検出された音量のレベルに応じて、再生画像の表示時間を変更する変更手順とを実行させるためのプログラムであって、
前記変更手順は、音量検出手順により検出された音量のレベルが閾値未満の場合には、画像の表示時間を短縮することを特徴とするプログラム。
【請求項８】
コンピュータに、
画像を切り替えながら連続的に再生可能な画像再生装置の周囲の音量を検出する音量検出手順と、前記音量検出手順により検出された音量のレベルに応じて、再生画像の表示時間を変更する変更手順とを実行させるためのプログラムであって、
記変更手順は、音量変化量検出手順により検出された音量レベルの変化量が閾値以上の場合には、画像の表示時間を延長することを特徴とするプログラム。
【請求項９】
コンピュータに、
画像を切り替えながら連続的に再生可能な画像再生装置の周囲の音量を検出する音量検出手順と、前記音量検出手順により検出された音量のレベルに応じて、再生画像の表示時間を変更する変更手順とを実行させるためのプログラムであって、
前記変更手順は、音量変化量検出手順により検出された音量レベルの変化量が閾値未満の場合には、画像の表示時間を短縮することを特徴とするプログラム。
【発明の詳細な説明】
【技術分野】
【０００１】
本発明は、撮像装置により撮影された画像を連続的に再生可能な画像再生装置およびその制御方法、プログラムに関する。
【背景技術】
【０００２】
従来、撮影画像をスライドショー形式で再生する場合、各画像の再生時間は一律である。一枚あたりの再生時間は設定することができても、一枚ごとに再生時間を個別に設定することはできなかった。
【０００３】
しかしながら、良い画像は長く、不要な画像は短くといったように、画像の出来不出来によって、一枚ごとに再生時間を変えることができれば、より効果的なスライドショーとなるものと考えられる。
【０００４】
この点を鑑みた画像再生装置として、お気に入り度、タイトル、再生履歴、印刷履歴、撮影情報などの画像に対応付けられている関連情報の内容に基づいて、スライドショーの再生時間を変更するといったものがある（特許文献１参照）。
【０００５】
また、スライドショー再生中に画像送り釦を操作することによって、再生中の画像を即座に非表示として次の画像を再生させるようにしたものもある（特許文献２参照）。
【特許文献１】特開２００６−１５７３２４号公報
【特許文献２】特開２００３−２０９８０９号公報
【発明の開示】
【発明が解決しようとする課題】
【０００６】
しかしながら、特許文献１に記載の画像再生装置では、あらかじめ画像にお気に入り度やタイトルなどの情報を付加する操作が必要である。また、特許文献２に記載の画像再生装置では、再生画像のコマ送りに釦操作を必要とし、どちらも追加操作なしで自動的に再生時間を変更することはできない。
【０００７】
本発明のこのような点を鑑みたものであり、新たな追加操作を必要とせずに自動的に再生画像の表示時間を変更することを目的とする。
【課題を解決するための手段】
【０００８】
上記課題を解決するために、本発明は、画像を切り替えながら連続的に再生可能な画像再生装置において、周囲の音量を検出する音量検出手段と、音量検出手段により検出された音量のレベルに応じて、画像の表示時間を変更する変更手段とを有し、変更手段は、音量検出手段により検出された音量のレベルが閾値未満の場合には、画像の表示時間を短縮することを特徴とする画像再生装置を提供する。
【０００９】
また、上記課題を解決するために、本発明は、画像を切り替えながら連続的に再生可能な画像再生装置において、周囲の音量を検出する音量検出手段と、音量検出手段により検出された音量レベルの変化量を検出する音量変化量検出手段と、音量変化量検出手段により検出された変化量のレベルに応じて、画像の表示時間を変更する変更手段とを有し、変更手段は、音量変化量検出手段により検出された音量レベルの変化量が閾値以上の場合には、画像の表示時間を延長することを特徴とする画像再生装置を提供する。
【００１０】
また、上記課題を解決するために、本発明は、画像を切り替えながら連続的に再生可能な画像再生装置において、周囲の音量を検出する音量検出手段と、音量検出手段により検出された音量レベルの変化量を検出する音量変化量検出手段と、音量変化量検出手段により検出された変化量のレベルに応じて、画像の表示時間を変更する変更手段とを有し、変更手段は、音量変化量検出手段により検出された音量レベルの変化量が閾値未満の場合には、画像の表示時間を短縮することを特徴とする画像再生装置を提供する。
【発明の効果】
【００１１】
本発明による画像再生装置は、スライドショー再生時の周囲音をモニタすることで、鑑賞者の反応によって画像の出来不出来を判断し、新たな追加操作を必要とせずに自動的に画像の表示時間を変更することができる。
【発明を実施するための最良の形態】
【００１２】
以下、図面を用いて本発明の実施形態を説明する。
【００１３】
（第一の実施形態）
図１は、本発明の第一の実施形態における画像再生装置の構成を示す図である。
【００１４】
この画像再生装置は再生するための画像を撮影する撮像手段を備えている。
【００１５】
１は撮像部１０、画像処理部１１、表示部３０など画像再生装置全体の動作を制御するシステム制御部である。１０は撮像素子（ＣＣＤセンサ、ＣＭＯＳセンサなど）を用いて光学像を電気的な画像信号に変換する撮像部である。１１は撮像部１０から出力された画像信号を現像処理する画像処理部である。１２はシステム制御部１の各種の動作指示を入力するための操作部であり、スイッチやダイアル、タッチパネル、視線検知によるポインティング、音声認識装置等の単数或いは複数の組み合わせで構成される。撮影された画像をスライドショー再生するための操作手段もこの操作部１２に含まれている。
【００１６】
１３は撮影した静止画像を一時的に格納するためのバッファメモリであり、所定枚数の静止画像を格納するのに十分な記憶量を備えている。また、バッファメモリ１３はシステム制御部１の作業領域としても使用することが可能である。撮像部１０から出力される撮像信号は画像処理部１１で現像処理され、バッファメモリ１３に格納される。バッファメモリ１３に格納された画像データは随時読み出されＪＰＥＧなどの画像ファイルに圧縮処理され、メモリカードインターフェース１４を介して画像再生装置に接続されたメモリカード１５に記録される。
【００１７】
２０は撮影された画像をスライドショー再生する際に周囲の音を検出するマイクロフォンであり、検出した音をアナログの電気信号に変換する。２１はマイクロフォン２０から送られてきた音信号の音量レベルを検出する音量検出手段であり、Ａ／Ｄ変換器などで構成され、アナログ信号からデジタル信号に変換されて、システム制御部１に入力される。
【００１８】
３０は操作部１２の操作に応じて、文字、画像などを用いて動作状態やメッセージ等を表示させる液晶などで構成された表示部であり、撮影された画像もこの表示部３０に表示される。また外部出力インターフェース３１を介して画像再生装置に接続された外部ディスプレイなどの表示装置３２に表示部３０と同じ内容を表示させることもできる。
【００１９】
次に、図２のタイミングチャートを用いて、本実施例におけるスライドショー再生時の動作について説明する。
【００２０】
まず、操作部１２の操作によってスライドショー再生が開始されると、メモリーカード１５に記録されている複数枚の撮影画像の中から、ファイル番号の若い順に表示部３０または表示装置３２に表示され、最初に画像１が表示される（ｔ０）。
【００２１】
また、スライドショー開始と同時に再生画像装置の周囲音のモニタが開始される。
【００２２】
周囲音はマイクロフォン２０によって検出され、音量変換手段２１によってデジタル信号に変換された音量レベルが閾値より小さい（閾値未満）場合には、デフォルトの時間（例えば４秒）表示されたのちに次の画像２、画像３へと順次表示が切り換わる（ｔ１，ｔ２）。
【００２３】
モニタしている音量レベルが閾値レベル以上となった場合には（ｔ３）、システム制御部１によって現在表示中の画像３の表示時間が延長される（例えば４秒延長）。
【００２４】
すなわち、本来デフォルトで次の画像に切り換わるはずの時間（ｔ４）経過後も画像３が表示され続け、４秒延長されたのちに次の画像４に表示が切り換わる（ｔ５）。
【００２５】
その結果、デフォルトでは４秒である表示時間が、音量レベルが閾値レベル以上となった場合には、８秒表示されることになる。
【００２６】
次に、モニタしている音量レベルが閾値レベルより小さくなった場合には（ｔ６）、システム制御部１によって現在表示中画像の表示時間が短縮され（例えば２秒短縮）、次の画像５に表示が切り換わる（ｔ７）。その結果、デフォルトでは４秒である表示時間が、音量レベルが閾値レベルより小さくなった場合には、２秒しか表示されないことになる。
【００２７】
また、ここでは一定時間の延長としたが、音量レベルが閾値レベル以上となった場合には、閾値レベル以上である期間は延長しつづけ、閾値レベルより小さくなった時点で次の画像を表示させるようにしてもよい。さらに短縮する場合にも、音量レベルが閾値レベルより小さくなった時点で次の画像を表示させるようにしてもよい。
【００２８】
以上説明したように、本実施形態による画像再生装置は、スライドショー再生時に周囲音をモニタしておき、鑑賞者による拍手や歓声などによって、音量レベルが閾値レベル以上になった場合には、表示中の画像の表示時間を延長する。
【００２９】
また、鑑賞者の反応がなく場が静まりかえった場合など、音量レベルが閾値レベルより小さくなった場合には、表示中の画像の表示時間を短縮する。このような構成とすることで、鑑賞者の反応によって再生画像の出来不出来を判断し、新たな追加操作を必要とせずに自動的に再生画像の再生時間を変更することが可能となる。
【００３０】
（第二の実施形態）
第一の実施形態では周囲音の音量レベルを検出し、音量レベルが閾値レベル以上になった場合に表示時間を変更するような構成としたが、第二の実施形態に示すような構成としてもよい。
【００３１】
図３は、本発明の第二の実施形態における画像再生装置の構成を示す図である。
【００３２】
１２０は撮影された画像をスライドショー再生する際に周囲の音を検出するマイクロフォンであり、検出した音をアナログの電気信号に変換する。１２１はマイクロフォン１２０から送られてきた音信号の音量レベルを検出する音量検出手段であり、Ａ／Ｄ変換器などで構成され、アナログ信号からデジタル信号に変換されて、システム制御部１０１に入力される。システム制御部１０１には音量検出手段１２１から送られてきた音量レベル信号の変化量を検出する音量変化量検出手段１２３が内蔵されており、ある一定時間ごとにサンプリングされた音量の変化量を検出することができる。
【００３３】
次に、図４のタイミングチャートを用いて、本実施形態におけるスライドショー再生時の動作について説明する。
【００３４】
まず、操作部１１２の操作によってスライドショー再生が開始されると、メモリーカード１１５に記録されている複数枚の撮影画像の中から、ファイル番号の若い順に表示部１３０または表示装置１３２に表示され、最初に画像１が表示される（ｔ１０）。
【００３５】
また、スライドショー開始と同時に再生画像装置の周囲音のモニタが開始される。
【００３６】
マイクロフォン１２０によって検出され、音量変換手段１２１によってデジタル信号に変換された音量レベル信号は、システム制御部１０１に内蔵されている音量変化量検出手段１２３によってその変化量が検出される。その音量レベル変化量が閾値より小さい（未満）場合には、デフォルトの時間（例えば４秒）表示されたのちに次の画像２、画像３へと順次表示が切り換わる（ｔ１１，ｔ１２）。
【００３７】
モニタしている音量レベルの変化量が閾値レベル以上となった場合には（ｔ１３）、システム制御部１０１によって現在表示中の画像３の表示時間が延長される（例えば４秒延長）。すなわち、本来デフォルトで次の画像に切り換わるはずの時間（ｔ１４）経過後も画像３が表示され続け、４秒延長されたのちに次の画像４に表示が切り換わる（ｔ１５）。その結果、デフォルトでは４秒である表示時間が、音量レベルの変化量が閾値レベル以上となった場合には、８秒表示されることになる。
【００３８】
次に、モニタしている音量レベルの変化量が閾値レベルより小さくなった場合には（ｔ１６）、システム制御部１０１によって現在表示中画像の表示時間が短縮され（例えば２秒短縮）、次の画像５に表示が切り換わる（ｔ１７）。
【００３９】
その結果、デフォルトでは４秒である表示時間が、音量レベルの変化量が閾値レベルより小さくなった場合には、２秒しか表示されないことになる。
【００４０】
以上説明したように、本発明による画像再生装置は、スライドショー再生時に周囲音をモニタしておき、鑑賞者による拍手や歓声などによって、音量レベルの変化量が閾値レベル以上になった場合には、表示中の画像の表示時間を延長する。また鑑賞者の反応がなく場が静まりかえっている場合など、音量レベルの変化量が閾値レベルより小さくなった場合には、表示中の画像の表示時間を短縮する。音量レベルではなく、音量レベルの変化量を判定材料とすることによって、一定な周囲の雑音ノイズをキャンセルすることができる。このような構成とすることで、鑑賞者の反応によって再生画像の出来不出来を判断し、新たな追加操作を必要とせずに自動的に再生画像の表示時間を変更することが可能となる。
【００４１】
（第三の実施形態）
第三の実施形態は、第一の実施形態あるいは第二の実施形態を前提としている。第一の実施形態あるいは第二の実施形態と共通する部分については説明を省略する。
【００４２】
図５は、第一の実施形態に本実施形態の特徴である周波数検出手段２２３を追加した図であり、第三の実施形態における画像再生装置のブロック図である。
【００４３】
マイクロフォン２２０によって検出された周囲音の周波数を周波数検出手段２２３によって検出し、検出された音の周波数が人間の発する音声の周波数帯域外である場合には、検出された音はノイズであると判断する。この場合、音量レベルが閾値以上の場合であっても、表示中画像の表示時間を変更しないようにする。
【００４４】
また、検出された音の周波数が人間の発する音声の周波数帯域内である場合には、表示中画像の表示時間が変更されることになる。
【００４５】
このような構成とすることによって、周囲の雑音ノイズに反応して誤って表示時間が変更されることを防ぐことができ、鑑賞者の拍手や歓声などのみに反応して表示時間を変更することが可能となる。
【００４６】
上述した実施形態は、システム或は装置のコンピュータ（ＣＰＵやＭＰＵなど）によりソフトウエア的に実現することも可能である。
【００４７】
従って、上述した実施形態をコンピュータで実現するために、かかるコンピュータに供給されるコンピュータプログラム自体も本発明を実現するものである。換言すれば、上述した実施形態の機能を実現するためのコンピュータプログラム自体も本発明の一側面を構成する。
【００４８】
なお、上述した実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００４９】
上述した実施形態を実現するためのコンピュータプログラムは、記録媒体又は有線／無線通信によりコンピュータに供給される。プログラムを供給するための記録媒体としては、例えば、フレキシブルディスク、ハードディスク、磁気テープ等の磁気記録媒体、ＭＯ、ＣＤ、ＤＶＤ等の光／光磁気記録媒体、不揮発性の半導体メモリなどがある。
【００５０】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであってもよい。
【００５１】
そして、サーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【００５２】
このように、上述した実施形態を実現するためのプログラムファイルをクライアントコンピュータに提供するサーバ装置も本発明の一側面を構成する。
【００５３】
また、上述した実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えば、インターネットを介してホームページからダウンロードさせることによって供給することができる。
【００５４】
また、上述した実施形態を実現するためのコンピュータプログラムは、コンピュータ上で稼働するＯＳ（オペレーティングシステム）の機能を利用するものであってもよい。
【００５５】
更に、上述した実施形態を実現するためのコンピュータプログラムは、その一部をコンピュータに装着される拡張ボード等のファームウェアで構成してもよいし、拡張ボード等が備えるＣＰＵで実行するようにしてもよい。
【００５６】
以上、本発明の好ましい実施形態について説明したが、本発明はこれらの実施形態に限定されないことはいうまでもなく、その要旨の範囲内で種々の変形及び変更が可能である。例えば、本発明は、デジタルカメラなどの撮像装置に限定されるものではなく、携帯電話や携帯端末などの画像を再生可能な装置に適用することができる。
【図面の簡単な説明】
【００５７】
【図１】本発明の第一の実施形態における画像再生装置のブロック図である。
【図２】本発明の第一の実施形態における動作を示すタイミングチャートである。
【図３】本発明の第二の実施形態における画像再生装置のブロック図である。
【図４】本発明の第二の実施形態における動作を示すタイミングチャートである。
【図５】本発明の第三の実施形態における画像再生装置のブロック図である。
【符号の説明】
【００５８】
１  システム制御部
１０  撮像部
１１  画像処理部
１２  操作部相サブ
１３  バッファメモリ
１４  メモリカードインターフェース
１５  メモリカード
２０  マイクロフォン
２１  音量検出手段
３０  表示部
３１  外部出力インターフェース
３２  表示装置
１２２  音量変化量検出手段
２２３  周波数検出手段
【図１】
0004986827.tif 000002
【図２】
0004986827.tif 000003
【図３】
0004986827.tif 000004
【図４】
0004986827.tif 000005
【図５】
0004986827.tif 000006